【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
外部装置からの第１無線入力信号を受信するアンテナと、
前記アンテナに接続されている送受信機であって、第１無線入力信号に基づく送受信機入力信号を提供する送受信機と、
第１マイクロフォンを有しており、マイクロフォン信号を有する第１入力信号を提供する入力モジュールと、
処理済出力信号を提供する第１処理ユニットと、
前記処理済出力信号に基づいて、音響出力信号を提供するレシーバと、
前記入力モジュールと前記送受信機に動作可能に接続されており、前記第１入力信号に基づいてプリ処理出力信号を提供する第２処理ユニットと、
前記送受信機に動作可能に接続されており、前記送受信機入力信号に基づいて音声明瞭度を示す音声明瞭度インジケータを決定するための音声明瞭度推定部を有し、前記音声明瞭度インジケータに基づいてコントローラ出力信号を提供するコントローラと、を備える聴覚装置であって、
前記第２処理ユニットは、前記コントローラ出力信号に基づいて、前記第１入力信号、前記送受信機入力信号、又は前記第１入力信号と前記送受信機入力信号の双方に処理方式を適用するとともに、前記マイクロフォン信号と前記送受信機入力信号の双方に基づく混合出力信号を提供し、
前記送受信機入力信号は、前記第１無線入力信号に基づくデジタル音響信号を有しており、
前記聴覚装置は、前記聴覚装置の使用者ために聞き取り使用感を向上させるために前記デジタル音響信号を処理する、聴覚機器。
【請求項２】
前記音声明瞭度推定部は、前記第１入力信号にも基づき前記音声明瞭度インジケータを決定する、請求項１に記載の聴覚機器。
【請求項３】
前記音声明瞭度推定部は、前記プリ処理出力信号にも基づき前記音声明瞭度インジケータを決定する、請求項１に記載の聴覚機器。
【請求項４】
前記音声明瞭度推定部は、前記処理済出力信号にも基づき前記音声明瞭度インジケータを決定する、請求項１に記載の聴覚機器。
【請求項５】
前記音声明瞭度推定部は、前記送受信機入力信号と第１コントローラ入力信号を比較することによって前記音声明瞭度インジケータを決定する、請求項１に記載の聴覚機器。
【請求項６】
前記音声明瞭度推定部は、前記送受信機入力信号の変調と前記第１コントローラ入力信号の変調に基づいて、前記前記送受信機入力信号と前記第１コントローラ入力信号を比較する、請求項５に記載の聴覚機器。
【請求項７】
前記音声明瞭度推定部は、前記送受信機入力信号の１つ以上のスペクトルおよび／または時間的標示と、前記第１コントローラ入力信号の１つ以上のスペクトルおよび／または時間的標示と、の相関に基づいて、前記送受信機入力信号と前記第１コントローラ入力信号を比較する、請求項５に記載の聴覚機器。
【請求項８】
前記音声明瞭度推定部は、短時間客観明瞭度推定部を使用して前記音声明瞭度インジケータを決定し、
前記短時間客観明瞭度推定部は、１つ以上の短時間セグメントにおいて、前記送受信機入力信号と前記第１コントローラ入力信号を比較する、請求項５に記載の聴覚機器。
【請求項９】
前記コントローラは、前記音声明瞭度インジケータに基づいて前記処理方式を決定する、請求項１に記載の聴覚機器。
【請求項１０】
前記コントローラは、前記処理方式の１つ以上の第１ゲインパラメータと、前記処理方式の１つ以上の第２ゲインパラメータとを決定することによって、前記処理方式を決定する、請求項１に記載の聴覚機器。
【請求項１１】
前記第２処理ユニットは、前記第１入力信号に前記１つ以上の第１ゲインパラメータを適用し、前記送受信機入力信号に前記１つ以上の第２ゲインパラメータを適用することによって前記処理方式を適用する、請求項１０に記載の聴覚機器。
【請求項１２】
前記１つ以上の第１ゲインパラメータは、第１フィルタ係数セットを有し、
前記１つ以上の第２ゲインパラメータは、第２フィルタ係数セットを有する、請求項１０に記載の聴覚機器。
【請求項１３】
前記コントローラは、前記音声明瞭度インジケータに基づいて、前記１つ以上の第１ゲインパラメータと前記１つ以上の第２ゲインパラメータを決定する、請求項１０に記載の聴覚機器。
【請求項１４】
前記コントローラは、複数の周波数帯のうちの１つ以上の周波数帯における音声明瞭度インジケータを測定し、複数の周波数帯のうちの１つ以上の周波数帯における音声明瞭度インジケータに基づいて１つ以上の第１周波数依存ゲインパラメータと１つ以上の第２周波数依存ゲインパラメータを生成するように構成されている、請求項１に記載の聴覚機器。
【請求項１５】
前記外部装置は、スパウスマイクロフォン装置であり、
前記送受信機入力信号は、前記スパウスマイクロフォン装置からの会話音声信号である、請求項１に記載の聴覚機器。
【請求項１６】
前記第２処理ユニットは、前記送受信機入力信号にも基づいて前記プリ処理出力信号を提供するように構成されている、請求項１に記載の聴覚機器。
【請求項１７】
聴覚機器によって実行される方法であって、
アンテナによって外部装置から第１無線入力信号を受信することと、
送受信機によって第１無線入力信号に基づく送受信機入力信号を提供することと、
入力モジュールによって音響信号を受信することと、
前記入力モジュールによってマイクロフォン信号を有する第１入力信号を含む１つ以上の入力信号を提供することと、
前記聴覚機器によって送受信機入力信号に基づく音声明瞭度を示す音声明瞭度インジケータを決定することと、
前記音声明瞭度インジケータに基づいて、コントローラ出力信号を提供することと、
前記コントローラ出力信号に基づいて、前記第１入力信号、前記送受信機入力信号、又は前記第１入力信号と前記送受信機入力信号の双方に前処理方式を適用することと、
前記マイクロフォン信号と前記送受信機入力信号の双方に基づく混合出力信号を提供することと、
第１処理ユニットによって処理済出力信号を提供することと、
前記処理済出力信号に基づくレシーバによって音響出力信号を提供することと、
を備えており、
前記送受信機入力信号は、前記第１無線入力信号に基づくデジタル音響信号を有しており、
前記デジタル音響信号は、前記聴覚装置の使用者ために聞き取り使用感を向上させるために前記聴覚装置によって処理される、方法。
【請求項１８】
前記コントローラは、前記聴覚装置の内側から前記第１コントローラ入力信号を受信するように構成されている、請求項５に記載の聴覚装置。
【請求項１９】
前記第２処理ユニットは、前記コントローラと前記第１処理ユニットの間に通信可能の結合されている、請求項１に記載の聴覚装置。
【請求項２０】
前記コントローラは、前記送受信機と前記第２処理ユニットの間に通信可能の結合されている、請求項１に記載の聴覚装置。
【請求項２１】
前記聴覚装置が補聴器であり、前記補聴器は、前記補聴器の前記送受信機によって提供される前記デジタル音響信号に基づいて前記音声明瞭度インジケータを決定するように構成されている、請求項１に記載の聴覚装置。
【請求項２２】
前記補聴器は、ユーザが聴力損失を補償するために前記補聴器を装着している間、前記音声明瞭度インジケータを決定するように構成されている、請求項２１に記載の聴覚装置。
【請求項２３】
前記聴覚装置は、ユーザが前記聴覚装置を装着している間、前記音声明瞭度インジケータを決定するように構成されている、請求項１に記載の聴覚装置。
【請求項２４】
前記音声明瞭度インジケータは、前記聴覚装置の前記送受信機によって提供されるデジタル音響信号に基づいている、請求項１に記載の聴覚装置。
【請求項２５】
前記聴覚装置は補聴器であり、前記音声明瞭度インジケータは、前記補聴器の前記送受信機によって提供される前記デジタル音響信号に基づいて前記補聴器によって決定される、請求項１７に記載の方法。
【請求項２６】
前記音声明瞭度インジケータは、ユーザが聴力損失を補償するために前記補聴器を装着している間、前記補聴器によって決定される、請求項２５に記載の方法。
【請求項２７】
前記音声明瞭度インジケータは、ユーザが前記聴覚装置を装着している間、前記聴覚装置によって決定される、請求項１７に記載の方法。
【請求項２８】
前記音声明瞭度インジケータは、第１コントローラ入力信号にも基づいて決定される、請求項１７に記載の方法。
【請求項２９】
前記音声明瞭度インジケータは、前記第１入力信号にも基づいて決定される、請求項１７に記載の方法。
【請求項３０】
前記音声明瞭度インジケータは、前記聴覚装置の前記送受信機によって提供される前記デジタル音響信号に基づいて、前記聴覚装置によって決定される、請求項１７に記載の方法。
【請求項３１】
前記第１コントローラ入力信号は、前記第１入力信号、前記プリ処理出力信号又は前記処理済出力信号を備えている、請求項５に記載の聴覚装置。
【請求項３２】
前記第１処理ユニットと前記第２処理ユニットは各々異なる機能を実行し、
前記第１処理ユニットが、聴力損失の補償のための信号処理を実行するように構成されている、請求項１記載の聴覚装置。
【請求項３３】
前記第１コントローラ入力信号は、前記聴覚装置内の部品から前記聴覚装置内のコントローラに送信される、請求項２８に記載の方法。
【請求項３４】
前記聴覚装置は、第１処理ユニットをさらに備えており、
前記コントローラは、前記送受信機と第２処理ユニットの間に通信可能の結合されている、請求項３３に記載の方法。
【請求項３５】
前記第２処理ユニットは、前記コントローラと第１処理ユニットの間に通信可能の結合されている、請求項３４に記載の方法。